(57)【要約】【課題】処理液が微細パターンの先端側から抜けるのを抑制することにより、基板に形成された微細パターンの倒壊を防止することができる。【解決手段】純水ＤＩＷによる洗浄処理においては、図３（ａ）に示すように基板Ｗの微細パターンｍｐが純水ＤＩＷで覆われているが、乾燥処理時においては、図３（ｂ）に示すように基板Ｗの微細パターンｍｐの側方に純水ＤＩＷが排出される。したがって、基板Ｗの上面に形成されている隣接した微細パターンｍｐの先端部同士が引き合う方向の力を極めて小さくすることができる。その結果、純水ＤＩＷの表面張力によって微細パターンｍｐが倒壊することを防止することができる。【選択図】図３
2012204483.tif 000002
【特許請求の範囲】
【請求項１】
基板を処理する基板処理方法において、
第１の回転数によって基板を水平面内で回転させながら、基板の上面に処理液を供給する過程と、
処理液の供給を停止する過程と、
隣接する微細パターンの先端部から処理液が抜けないように、基板に形成されている微細パターンの側方から処理液を排出させて基板を乾燥させる過程と、
を備えていることを特徴とする基板処理方法。
【請求項２】
請求項１に記載の基板処理方法において、
前記乾燥させる過程は、前記第１の回転数よりも低い第２の回転数で基板を低速回転させることを特徴とする基板処理方法。
【請求項３】
請求項２に記載の基板処理方法において、
前記第２の回転数は、５０ｒｐｍ以下であることを特徴とする基板処理方法。
【請求項４】
請求項１から３のいずれかに記載の基板処理方法において、
前記乾燥させる過程は、
基板の外径と同程度の大きさを有する遮断板を基板の上面に近接させる過程と、
前記遮断板の中心部から気体を供給する過程と、
を備えていることを特徴とする基板処理方法。
【請求項５】
請求項１からの３のいずれかに記載の基板処理方法において、
前記乾燥させる過程は、
基板の外径と同程度の大きさを有する遮断板を基板の上面に近接させる過程と、
前記遮断板のうち基板に対向する側の全面から気体を供給する過程と、
を備えていることを特徴とする基板処理方法。
【請求項６】
基板を処理する基板処理方法において、
微細パターンが形成された基板面を回転中心側に向けた鉛直姿勢で、回転中心から所定距離離れた位置に基板を保持する過程と、
所定の回転数で基板を回転させつつ、回転中心側から基板に向けて処理液を供給する過程と、
前記処理液の供給を停止するとともに、回転中心側から基板に向けて気体を供給する過程と、
を備えていることを特徴とする基板処理方法。
【請求項７】
基板を処理する基板処理装置において、
基板を水平姿勢で支持するとともに、水平面内で基板を回転させる回転手段と、
前記回転手段の上方から基板の回転中心に向けて処理液を供給する処理液供給手段と、
前記回転手段によって基板を水平面内で第１の回転数により回転させながら、前記処理液供給手段から基板の上面に処理液を供給させ、所定時間後に前記処理液供給手段からの処理液の供給を停止させた後、隣接する微細パターンの先端部から処理液が抜けないように、基板に形成されている微細パターンの側方から処理液を排出させて基板を乾燥させる制御手段と、
を備えていることを特徴とする基板処理装置。
【請求項８】
請求項７に記載の基板処理装置において、
前記制御手段は、基板を乾燥させる際に、前記回転手段によって、第１の回転数よりも低い第２の回転数で基板を低速回転させることを特徴とする基板処理装置。
【請求項９】
請求項８に記載の基板処理装置において、
前記制御手段は、前記第２の回転数を５０ｒｐｍ以下にすることを特徴とする基板処理装置。
【請求項１０】
請求項７から９のいずれかに記載の基板処理装置において、
前記回転手段に支持された基板に近接した乾燥位置と、前記回転手段に支持された基板から離間した待機位置との間を移動可能であって、基板の外径と同程度の大きさを有する遮断板と、
前記遮断板の中心部から気体を供給する中心部供給手段と、
をさらに備え、
前記制御手段は、基板を乾燥させる際に、前記遮断板を乾燥位置に移動させるとともに、前記中心部供給手段により前記遮断板から気体を供給させることを特徴とする基板処理装置。
【請求項１１】
請求項７から９のいずれかに記載の基板処理装置において、
前記回転手段に支持された基板に近接した乾燥位置と、前記回転手段に支持された基板から離間した待機位置との間を移動可能であって、基板の外径と同程度の大きさを有する遮断板と、
前記遮断板の基板に対向する側の全面から気体を供給する全面供給手段と、
をさらに備え、
前記制御手段は、基板を乾燥させる際に、前記遮断板を乾燥位置に移動させるとともに、前記全面供給手段により前記遮断板から気体を供給させることを特徴とする基板処理装置。
【請求項１２】
基板を処理する基板処理装置において、
中心に回転軸を備え、前記回転軸と連動して回転し、前記回転軸を囲うように内壁を備えた回転体と、
前記回転体の内壁に基板を鉛直姿勢で保持する保持部と、
前記回転軸の外周側から前記保持部に向かって処理液を供給する処理液供給手段と、
前記回転軸の外周側から前記保持部に向かって気体を供給する気体供給手段と、
前記保持部に基板を保持した状態で前記回転体を回転させつつ基板に対して前記処理液供給手段から処理液を供給し、所定時間後に前記処理液供給手段からの処理液の供給を停止させた後、前記気体供給手段から基板に対して気体を供給させて基板を乾燥させる制御手段と、
を備えていることを特徴とする基板処理装置。
【発明の詳細な説明】
【技術分野】
【０００１】
本発明は、半導体ウエハ、液晶ディスプレイ用基板、プラズマディスプレイ用基板、有機ＥＬ用基板、ＦＥＤ(Field Emission Display)用基板、光ディスプレイ用基板、磁気ディスク用基板、光磁気ディスク用基板、フォトマスク用基板、太陽電池用基板（以下、単に基板と称する）を薬液、純水等の処理液で処理した後、基板を乾燥させる基板処理方法及び基板処理装置に関する。
【背景技術】
【０００２】
最近の半導体デバイスは微細化が進んでおり、基板には微細パターンが形成されることがある。特に、微細パターンのうち、縦横比が大きな高アスペクト比の微細パターンが形成されている基板は、処理液の表面張力によって微細パターンが倒壊することがある。このような微細パターンの倒壊が生じると、半導体デバイスが機能しない欠陥を生じさせる原因となる。そこで、処理液の表面張力に起因する微細パターンの倒壊を防止するために、次のような方法が提案されている。
【０００３】
第１の方法として、処理槽内に貯留した薬液に基板を浸漬させて基板への薬液処理を行わせ、次いで処理槽内に純水を供給して薬液を純水で置換し、基板への純水洗浄処理を行わせる。さらに、純水よりも表面張力が小さな処理液（例えば、ハイドロフルオロエーテル）を処理槽に供給して、この処理液による置換が完了した後、基板を処理槽から上方へ引き上げて乾燥させるものがある（例えば、特許文献１参照）。
【０００４】
この第１の方法は、純水よりも表面張力が低い処理液で純水を置換してから基板を引き上げることにより、引き上げ時に表面張力によって微細パターンに加わる力を小さくするようにしている。
【０００５】
また、第２の方法として、処理槽内に貯留した薬液に基板を浸漬させて基板への薬液処理を行わせ、次いで処理槽内に純水を供給して純水洗浄処理を行わせる。さらに、処理槽内に水溶性有機溶剤（例えば、イソプロピルアルコール）を供給して、純水を水溶性有機溶剤で置換した後、処理槽内へ非水溶性有機溶剤（例えば、ハイドロフルオロエーテル）及び水溶性有機溶剤を供給する。そして、これらの混合液による置換が完了した後、基板を処理槽から上方へ引き上げて乾燥させるものがある（例えば、特許文献２参照）。
【０００６】
この第２の方法は、第１の方法と同様の手法により微細パターンに加わる力を小さくしようとするものである。
【０００７】
また、第３の方法として、処理槽内の薬液に基板を浸漬させた後、処理槽に純水を供給して薬液を純水で置換し、その後、処理槽内の純水を溶剤で置換する。そして、基板を処理槽の溶剤液面から引き上げる際に、溶剤の液面より下にある基板の一部位を、溶剤の沸点以上に加熱した状態で、基板を上方へ引き上げつつ乾燥させるものがある（例えば、特許文献３参照）。
【０００８】
この第３の方法は、溶剤液面下の基板の一部位を溶剤の沸点以上に加熱して、基板が溶剤液面から露出した時点で溶剤が蒸発し、微細パターンに表面張力の負荷がかららないようにするものである。また、たとえ、溶剤が蒸発しきれなくても、加熱により溶剤の温度も上昇するので、溶剤の表面張力が小さくなり、溶剤残りによる微細パターン倒れも抑制できるようになっている。
【先行技術文献】
【特許文献】
【０００９】
【特許文献１】特開２００７−２１４４４７号公報
【特許文献１】特開２００９−０９９９４３号公報
【特許文献１】特開２０１０−２３８９１８号公報
【発明の概要】
【発明が解決しようとする課題】
【００１０】
しかしながら、このような構成を有する従来例の場合には、次のような問題がある。
すなわち、従来の方法は、表面張力が低い処理液で置換して基板を引き上げたり、溶剤の沸点以上に基板を加熱した状態で溶剤から引き上げたりして乾燥を行うことにより、微細パターンの倒れを抑制している。しかしながら、さらに半導体デバイスの微細化が進んでアスペクト比がさらに高くなると、短時間で微細パターンの奥にある純水を低表面張力の処理液で完全に置換することはできない。したがって、従来の第１〜第３の方法では、液面からの基板の引き上げ時に、低表面張力の処理液だけでなく純水も微細パターンの先端側から抜けてゆくことになる。そのため、このときに純水の表面張力によって微細パターンが倒壊する恐れがある。つまり、従来の第１〜第３の方法では、微細パターンの倒壊の問題を十分に解決することはできない。
【００１１】
また、半導体デバイスの微細化がさらに進み、微細パターンのアスペクト比がさらに大きくなると、微細パターンに加わる力が大きくなるので、表面張力がより低い処理液を用いる必要が生じる。加えて、単に表面張力が低いだけではなく、半導体デバイスを汚染することなく処理に用いることができることが必須条件となる。しかしながら、新たな処理液を見出すことには限界があり、さらなる高アスペクト比の微細パターンには対応できない恐れがある。換言すると、従来の第１〜第３の方法のように表面張力を下げる手法だけでは、今後、微細パターンの倒壊を防止することが困難になる。
【００１２】
本発明は、このような事情に鑑みてなされたものであって、処理液が微細パターンの先端側から抜けるのを抑制することにより、基板に形成された微細パターンの倒壊を防止することができる基板処理方法及びその装置を提供することを目的とする。
【課題を解決するための手段】
【００１３】
本発明は、このような目的を達成するために、次のような構成をとる。
すなわち、請求項１に記載の発明は、基板を処理する基板処理方法において、第１の回転数によって基板を水平面内で回転させながら、基板の上面に処理液を供給する過程と、処理液の供給を停止する過程と、隣接する微細パターンの先端部から処理液が抜けないように、基板に形成されている微細パターンの側方から処理液を排出させて基板を乾燥させる過程と、を備えていることを特徴とするものである。
【００１４】
［作用・効果］請求項１に記載の発明によれば、第１の回転数で基板を回転させつつ処理液を供給し、処理液の供給を停止した後に、基板に形成されている微細パターンの側方から処理液を排出させて基板を乾燥させる。したがって、微細パターンの先端部側から処理液が抜けることを抑制することができるので、隣接する微細パターンの先端部同士が引き合う方向の力を極めて小さくすることができる。その結果、処理液の表面張力によって微細パターンが倒壊することを防止することができる。
【００１５】
なお、ここでいう「側方」とは、基板の中心部から外周面に向かう基板面に沿った方向である。
【００１６】
また、本発明において、前記乾燥させる過程は、前記第１の回転数よりも低い第２の回転数で基板を低速回転させることが好ましい（請求項２）。処理液供給時の第１の回転数より低速の第２の回転数で基板を回転させるだけで、処理液が微細パターンの上部側から処理液が抜けないようにして、微細パターンの側方へ抜けるようにできる。
【００１７】
また、本発明において、前記第２の回転数は、５０ｒｐｍ以下であることが好ましい（請求項３）。５０ｒｐｍ以下の低速回転により、処理液を微細パターンの側方へ抜けさせることができる。
【００１８】
また、本発明において、前記乾燥させる過程は、基板の外径と同程度の大きさを有する遮断板を基板の上面に近接させる過程と、前記遮断板の中心部から気体を供給する過程と、を備えていることが好ましい（請求項４）。基板の上面に遮断板を近接させた状態で遮断板の中心部から気体を供給すると、基板の中心部から外周に気体が向かう。この気体の流れにより微細パターンの先端側から処理液が抜けるのを抑制するとともに、外周への気体の流れにより処理液を微細パターンの側方へと押し流すことができる。したがって、効率的に処理液を微細パターンの側方へ排出させることができる。
【００１９】
また、本発明において、前記乾燥させる過程は、基板の外径と同程度の大きさを有する遮断板を基板の上面に近接させる過程と、前記遮断板のうち基板に対向する側の全面から気体を供給する過程と、を備えていることが好ましい（請求項５）。基板の上面に遮断板を近接させた状態で遮断板の全面から気体を供給すると、気体が微細パターンの先端側から処理液が抜けるのを押さえつつ、気体の流れが基板の外周へ向かう。したがって、微細パターンの先端側から処理液が抜けるのを抑制するとともに、気体の流れにより処理液を微細パターンの側方へと押し流すことができる。その結果、効率的に処理液を微細パターンの側方へ排出させることができる。
【００２０】
また、請求項６に記載の発明は、基板を処理する基板処理方法において、微細パターンが形成された基板面を回転中心側に向けた鉛直姿勢で、回転中心から所定距離離れた位置に基板を保持する過程と、所定の回転数で基板を回転させつつ、回転中心側から基板に向けて処理液を供給する過程と、前記処理液の供給を停止するとともに、回転中心側から基板に向けて気体を供給する過程と、を備えていることを特徴とするものである。
【００２１】
［作用・効果］請求項６に記載の発明によれば、回転中心から所定距離離れた位置に保持された基板を所定の回転数で回転させると、微細パターンの先端側から基板面に向かって遠心力が加わり、微細パターンの先端側から処理液が抜けるのを抑制できる。その状態で、回転中心側から気体を供給すると、気体の流れによって処理液が微細パターンの側方へ抜ける。したがって、微細パターンの先端部に応力が集中するのを防止することができる。その結果、処理液の表面張力によって微細パターンが倒壊することを防止することができる。
【００２２】
また、請求項７に記載の発明は、基板を水平姿勢で支持するとともに、水平面内で基板を回転させる回転手段と、前記回転手段の上方から基板の回転中心に向けて処理液を供給する処理液供給手段と、前記回転手段によって基板を水平面内で第１の回転数により回転させながら、前記処理液供給手段から基板の上面に処理液を供給させ、所定時間後に前記処理液供給手段からの処理液の供給を停止させた後、隣接する微細パターンの先端部から処理液が抜けないように、基板に形成されている微細パターンの側方から処理液を排出させて基板を乾燥させる制御手段と、を備えていることを特徴とするものである。
【００２３】
［作用・効果］請求項７に記載の発明によれば、制御手段は、回転手段によって基板を水平面内で第１の回転数により回転させながら、処理液供給手段から基板の上面に処理液を供給させ、所定時間後に処理液供給手段からの処理液の供給を停止させた後、基板に形成されている微細パターンの側方から処理液を排出させて基板を乾燥させる。したがって、微細パターンの上部側から処理液が抜けることを抑制することができるので、隣接する微細パターンの先端部同士が引き合う方向の力を極めて小さくすることができる。その結果、処理液の表面張力によって微細パターンが倒壊することを防止することができる。
【００２４】
なお、ここでいう「側方」とは、基板の中心部から外周面に向かう基板面に沿った方向である。
【００２５】
また、本発明において、前記制御手段は、基板を乾燥させる際に、前記回転手段によって、第１の回転数よりも低い第２の回転数で基板を低速回転させることが好ましい（請求項８）。制御手段が回転手段を操作して、処理液供給時の第１の回転数より低速の第２の回転数で基板を回転させるだけで、処理液が微細パターンの上部側から処理液が抜けないようにして、微細パターンの側方へ抜けるようにできる。
【００２６】
また、本発明において、前記制御手段は、前記第２の回転数を５０ｒｐｍ以下にすることが好ましい（請求項９）。制御手段が回転手段を操作して、５０ｒｐｍ以下の低速回転にすることにより、処理液を微細パターンの側方へ抜けさせることができる。
【００２７】
また、本発明において、前記回転手段に支持された基板に近接した乾燥位置と、前記回転手段に支持された基板から離間した待機位置との間を移動可能であって、基板の外径と同程度の大きさを有する遮断板と、前記遮断板の中心部から気体を供給する中心部供給手段と、をさらに備え、前記制御手段は、基板を乾燥させる際に、前記遮断板を乾燥位置に移動させるとともに、前記中心部供給手段により前記遮断板から気体を供給させることが好ましい（請求項１０）。制御手段は、基板を乾燥させる際に、遮断板を乾燥位置に移動させるとともに、中心部供給手段により遮断板から気体を供給させる。したがって、基板の中心部から外周に気体が向かう気体の流れにより微細パターンの先端側から処理液が抜けるのを抑制するとともに、外周への気体の流れにより処理液を微細パターンの側方へと押し流すことができる。したがって、効率的に処理液を微細パターンの側方へ排出させることができる。
【００２８】
また、本発明において、前記回転手段に支持された基板に近接した乾燥位置と、前記回転手段に支持された基板から離間した待機位置との間を移動可能であって、基板の外径と同程度の大きさを有する遮断板と、前記遮断板のち基板に対向する側の全面から気体を供給する全面供給手段と、をさらに備え、前記制御手段は、基板を乾燥させる際に、前記遮断板を乾燥位置に移動させるとともに、前記全面供給手段により前記遮断板から気体を供給させることが好ましい（請求項１１）。制御手段は、基板を乾燥させる際に、遮断板を乾燥位置に移動させるとともに、全面供給手段により遮断板から気体を供給させる。すると、微細パターンの先端側から処理液が抜けるのを押さえつつ、気体の流れが基板の外周へ向かう。したがって、微細パターンの先端側から処理液が抜けるのを抑制するとともに、気体の流れにより処理液を微細パターンの側方へと押し流すことができる。その結果、効率的に処理液を微細パターンの側方へ排出させることができる。
【００２９】
また、請求項１２に記載の発明は、基板を処理する基板処理装置において、中心に回転軸を備え、前記回転軸と連動して回転し、前記回転軸を囲うように内壁を備えた回転体と、前記回転体の内壁に基板を鉛直姿勢で保持する保持部と、前記回転軸の外周側から前記保持部に向かって処理液を供給する処理液供給手段と、前記回転軸の外周側から前記保持部に向かって気体を供給する気体供給手段と、前記保持部に基板を保持した状態で前記回転体を回転させつつ基板に対して前記処理液供給手段から処理液を供給し、所定時間後に前記処理液供給手段からの処理液の供給を停止させた後、前記気体供給手段から基板に対して気体を供給させて基板を乾燥させる制御手段と、を備えていることを特徴とするものである。
【００３０】
［作用・効果］請求項１２に記載の発明によれば、制御手段は、保持部に基板を保持した状態で回転体を回転させつつ基板に対して処理液供給手段から処理液を供給し、所定時間後に処理液供給手段からの処理液の供給を停止させた後、気体供給手段から気体を供給させて基板を乾燥させる。したがって、微細パターンの先端側から基板面に向かって遠心力が加わり、微細パターンの先端側から処理液が抜けるのを抑制できる。その状態で、回転中心から気体を供給すると、気体の流れによって処理液が微細パターンの側方へ抜けるので、隣接する微細パターンの先端部同士が引き合う方向の力を極めて小さくすることができる。その結果、処理液の表面張力によって微細パターンが倒壊することを防止することができる。
【発明の効果】
【００３１】
本発明に係る基板処理方法によれば、第１の回転数で基板を回転させつつ処理液を供給し、処理液の供給を停止した後に、基板に形成されている微細パターンの側方から処理液を排出させて基板を乾燥させる。したがって、微細パターンの上部側から処理液が抜けることを抑制することができるので、隣接する微細パターンの先端部同士が引き合う方向の力を極めて小さくすることができる。その結果、処理液の表面張力によって微細パターンが倒壊することを防止することができる。
【図面の簡単な説明】
【００３２】
【図１】表面張力により微細パターンに加わる力の説明に供する模式図である。
【図２】実施例１に係る基板処理方法の概要を示す模式図であり、（ａ）は基板を回転させる過程、（ｂ）は基板に純水を供給する過程、（ｃ）は乾燥過程を示す。
【図３】実施例１に係る基板処理方法における乾燥過程の模式図であり、（ａ）は純水供給時を示し、（ｂ）は乾燥時を示す。
【図４】実施例１に係る基板処理装置の概略構成を示すブロック図である。
【図５】実施例１に係る基板処理装置による基板処理時のタイムチャート例である。
【図６】実施例２に係る基板処理方法の概要を示す模式図であり、（ａ）は純水供給後を示し、（ｂ）は乾燥開始時を示し、（ｃ）は乾燥途中を示す。
【図７】実施例２に係る基板処理装置の概略構成を示すブロック図である。
【図８】実施例２に係る基板処理装置による基板処理時のタイムチャート例である。
【図９】実施例２の変形例を示す基板処理装置の概略構成を示すブロック図である。
【図１０】実施例３に係る基板処理方法の概要を示す模式図であり、（ａ）は基板を保持する過程、（ｂ）は基板に純水を供給する過程、（ｃ）は乾燥過程を示す。
【図１１】実施例３に係る基板処理装置の概略構成を示すブロック図である。
【発明を実施するための形態】
【００３３】
本発明は、基板に形成されている微細パターンの倒壊を防止するものであるが、最初に微細パターンに加わる力について図１を参照して説明しておく。なお、図１は、表面張力により微細パターンに加わる力の説明に供する模式図である。
【００３４】
基板Ｗは、上面に微細パターンｍｐが形成されている。この微細パターンｍｐの基板Ｗ上面からの高さをＨ、幅をｌとし、微細パターンｍｐ同士の間隔をＷｓとする。微細パターンｍｐの間には、処理液が貯留しているものとする。このような状態で液面において微細パターンｍｐに加わる力をＦとすると、このＦは次の式で表される。なお、σは処理液の表面張力を表し、θは処理液の接触角を表している。
【００３５】
Ｆ＝（２σＨｃｏｓθ）／（Ｗｓｌ）
【００３６】
この数式から、処理液の液面において微細パターンｍｐに加わる力Ｆは、微細パターンｍｐの高さＨと、処理液の表面張力σと、液面と微細パターンｍｐのなす角度θのｃｏｓに比例し、微細パターンｍｐの間隔Ｗｓに反比例することが分かる。上述したように、液面において微細パターンｍｐに加わる力Ｆを小さくすることには限界があるので、本発明は以下に示すように、異なるアプローチで微細パターンｍｐから処理液を排出させて、微細パターンｍｐの倒壊を防止するものである。
【実施例１】
【００３７】
以下、図面を参照して本発明の実施例１を説明する。
図２は、実施例１に係る基板処理方法の概要を示す模式図であり、（ａ）は基板を回転させる過程、（ｂ）は基板に純水を供給する過程、（ｃ）は乾燥過程を示す。また、図３は、実施例１に係る基板処理方法における乾燥過程の模式図であり、（ａ）は純水供給時を示し、（ｂ）は乾燥時を示す。なお、以下の説明においては、処理液として純水を供給した後に乾燥処理を行う場合を例にとって説明する。
【００３８】
まず、基板Ｗを第１の回転数Ｒ１で回転させる（図２（ａ））。第１の回転数Ｒ１は、例えば、２００ｒｐｍである。そして、第１の回転数Ｒ１を維持したまま、純水ＤＩＷを基板Ｗに対して供給して基板Ｗの微細パターンが形成されている上面を水洗処理する（図２（ｂ））。このとき、基板Ｗに形成されている微細パターンｍｐは、図３（ａ）に示すように、純水ＤＩＷで覆われた状態である。所定時間の水洗処理の後、回転数を第１の回転数Ｒ１よりも低い第２の回転数Ｒ２にする（図２（ｃ））。第２の回転数Ｒ２は、例えば、５０ｒｐｍである。このとき、基板Ｗを覆っている純水は、図３（ｂ）に二点鎖線矢印で示すように、微細パターンｍｐの上方から抜けるのではなく、微細パターンｍｐの側方から抜けてゆく。
【００３９】
したがって、基板Ｗの上面に形成されている隣接した微細パターンｍｐの先端部同士が引き合う方向の力を極めて小さくすることができる。その結果、純水の表面張力によって微細パターンｍｐが倒壊することを防止することができる。
【００４０】
次に、上述した基板処理方法を実施するのに好適な基板処理装置について、図４を参照して説明する。なお、図４は、実施例１に係る基板処理装置の概略構成を示すブロック図である。
【００４１】
スピンチャック１は、基板Ｗを水平姿勢で保持する。このスピンチャック１は、基板Ｗの下面中央部を吸着保持するが、基板Ｗの周縁部を当接保持する方式のチャックであってもよい。スピンチャック１は、その下面中央部に回転軸３の先端部が連結されている。回転軸３の基端部は、電動モータ５の回転軸に連結されている。電動モータ５が駆動されると、基板Ｗは水平面内で回転される。
【００４２】
なお、上述したスピンチャック１と、回転軸３と、電動モータ５とが本発明における「回転手段」に相当する。
【００４３】
スピンチャック１は、その周囲を囲うように飛散防止カップ７で囲われている。飛散防止カップ７は、基板Ｗに供給されて周囲に振り切られた処理液の飛散を防止するとともに、処理液を回収する。
【００４４】
薬液ノズル９は、基板Ｗに薬液を供給する。薬液ノズル９は、薬液供給源１１に連通接続されている。薬液供給源１１は、例えば、フッ化水素酸溶液を貯留している。薬液ノズル９は、図４に実線で示す待機位置と、基板Ｗの回転中心の上方に相当する供給位置とにわたり移動可能に構成されている。
【００４５】
純水ノズル１３は、純水を基板Ｗに供給する。純水ノズル１３は、純水供給源１５に連通接続されている。純水供給ノズル１３は、図４に示す待機位置と、基板Ｗの回転中心の上方に相当する供給位置とにわたって移動可能に構成されている。
【００４６】
なお、純水ノズル１３が本発明における「処理液供給手段」に相当する。
【００４７】
電動モータ５の回転、薬液ノズル９及び純水ノズル１３からの供給は、制御部１７によって統括的に制御されている。制御部１７は、図示しないＣＰＵやメモリを内蔵し、メモリに予め記憶されているレシピに基づいて各部を制御する。レシピは、後述するタイムチャートに相当し、基板Ｗの洗浄をどのように行うかを規定したものである。
【００４８】
なお、制御部１７が本発明における「制御手段」に相当する。
【００４９】
ここで、図５を参照して、上述した基板処理装置の動作について説明する。なお、図５は、実施例１に係る基板処理装置による基板処理時のタイムチャート例である。このタイムチャートでは、基板Ｗがスピンチャック１に保持され、第１の回転数で回転された時点を起点として示している。
【００５０】
制御部１７は、電動モータ５を操作して、基板Ｗを第１の回転数Ｒ１で回転させる。なお、第１の回転数Ｒ１は、上述したように、例えば、２００ｒｐｍである。そして、薬液ノズル９を供給位置に進出させ、薬液を基板Ｗに供給させて、これを所定時間だけ維持する。これにより、基板Ｗの上面が薬液により洗浄される。制御部１７は、ｔ１時点になると、薬液ノズル９からの薬液の供給を停止させるとともに、薬液ノズル９を待機位置に退出させる。さらに、制御部１７は、純水ノズル１３を供給位置に進出させるとともに、純水を供給させる。これを所定時間だけ継続することにより、基板Ｗに上面に付着した薬液が純水で洗い流される。
【００５１】
制御部１７は、ｔ２時点になると、純水ノズル１３からの純水ＤＩＷの供給を停止させるとともに、純水ノズル１３を待機位置に退出させる。さらに、電動モータ５を操作して、ｔ３時点までに回転数を第２の回転数Ｒ２にする。この第２の回転数Ｒ２は、上述したように、例えば、５０ｒｐｍである。この第２の回転数Ｒ２をｔ４時点まで維持して、基板Ｗの上面を覆っている純水を側方へと排出させて、基板Ｗを乾燥させる。そして、ｔ５時点で基板Ｗの回転を停止させる。
【００５２】
上述したように制御部１７は基板Ｗに対して洗浄処理を行う。このとき、純水ＤＩＷによる洗浄処理においては、図３（ａ）に示すように基板Ｗの微細パターンｍｐが純水ＤＩＷで覆われているが、乾燥処理時においては、図３（ｂ）に示すように基板Ｗの微細パターンｍｐの側方に純水ＤＩＷが排出される。したがって、この基板処理装置によると、基板Ｗの上面に形成されている隣接した微細パターンｍｐの先端部同士が引き合う方向の力を極めて小さくすることができる。その結果、純水ＤＩＷの表面張力によって微細パターンｍｐが倒壊することを防止することができる。
【実施例２】
【００５３】
次に、図面を参照して本発明の実施例２を説明する。
図６は、実施例２に係る基板処理方法の概要を示す模式図であり、（ａ）は純水供給後を示し、（ｂ）は乾燥開始時を示し、（ｃ）は乾燥途中を示す。なお、図６では、説明の都合上、第２の回転数に減速し終わった時点からの図だけを示す。
【００５４】
基板Ｗを第１の回転数で回転させつつ純水を供給して基板Ｗの微細パターンが形成されている上面を水洗処理する。所定時間の水洗処理の後、回転数を第１の回転数よりも低い第２の回転数Ｒ２にする（図６（ａ））。第２の回転数Ｒ２は、例えば、第１の回転数が２００ｒｐｍとすると、５０ｒｐｍ程度である。さらに、基板Ｗの上面に盛られた純水の表面に遮断板２１を近接させるとともに、遮断板２１の中央部から基板Ｗに窒素ガスｇを供給させる（図６（ｂ））。これにより、微細パターンｍｐの上方から純水が抜けるのではなく、微細パターンｍｐの側方から抜けてゆく。また、基板Ｗの上面に遮断板２１を近接させた状態で遮断板２１の中心部から窒素ガスｇを供給するので、窒素ガスｇの流れにより微細パターンｍｐの先端側から純水が抜けるのを抑制するとともに、基板Ｗの外周への窒素ガスの流れにより純水を微細パターンｍｐの側方へと押し流すことができる。したがって、効率的に純水を微細パターンｍｐの側方へ排出させることができる。
【００５５】
次に、上述した基板処理方法を実施するのに好適な基板処理装置について、図７を参照して説明する。なお、上述した実施例１と同様の構成については、同符号を付すことにより、詳細な説明については省略する。
【００５６】
実施例２における基板処理装置は、スピンチャック１の上方に、遮断板２１を備えている。遮断板２１は、基板Ｗの外径とほぼ同じ大きさを有する。遮断板２１の中央部には、供給口２３が形成されている。この供給口２３は、窒素ガス供給源２５に連通接続されている。制御部１７は、薬液供給源１１からの薬液の供給と、純水供給源１５からの純水の供給を制御することに加えて、窒素ガス供給源２５からの窒素ガスｇの供給も制御する。また、遮断板２１は、図７に実線で示す、基板Ｗから離間した待機位置と、基板Ｗに近接した乾燥位置とにわたって移動可能に構成されている。その移動は、制御部１７によって制御される。また、遮断板２１は、図示しない回転機構によって、電動モータ５による基板Ｗの回転数に同期して回転される。この遮断板２１の回転は、制御部１７によって制御される。
【００５７】
なお、上述した供給口２３が本発明における「中心部供給手段」に相当する。
【００５８】
ここで、図８を参照して、上述した基板処理装置の動作について説明する。なお、図８は、実施例２に係る基板処理装置による基板処理時のタイムチャート例である。このタイムチャートでは、基板Ｗがスピンチャック１に保持され、第１の回転数で回転された時点を起点として示している。
【００５９】
制御部１７は、電動モータ５を操作して、基板Ｗを第１の回転数Ｒ１で回転させる。なお、第１の回転数Ｒ１は、上述したように、例えば、２００ｒｐｍである。そして、供給位置に進出させた薬液ノズル９から薬液を基板Ｗに供給させ、これを所定時間だけ維持する。これにより、基板Ｗの上面が薬液によって洗浄される。制御部１７は、ｔ１時点になると、薬液ノズル９からの薬液の供給を停止させるとともに、薬液ノズル９を待機位置に退出させる。さらに、制御部１７は、純水ノズル１３を供給位置に進出させ、純水ノズル１３から純水を供給させる。これを所定時間だけ継続することにより、基板Ｗに上面に付着した薬液が純水で洗い流される。
【００６０】
制御部１７は、ｔ２時点になると、純水ノズル１３からの純水の供給を停止させるとともに、純水ノズル１３を待機位置に待避させる。さらに、電動モータ５を操作して、ｔ３時点までに基板Ｗの回転数を第２の回転数Ｒ２に減速させる。これとともに、遮断板２１を第２の回転数Ｒ２で回転させつつ乾燥位置にまで移動させ、供給口２３から窒素ガスを供給させる。第２の回転数Ｒ２は、上述したように、例えば、５０ｒｐｍである。この第２の回転数Ｒ２をｔ４時点まで維持して、基板Ｗの上面を覆っている純水を側方へと排出させて、基板Ｗを乾燥させる。そして、ｔ５時点で基板Ｗの回転を停止させる。
【００６１】
このように制御部１７は、基板Ｗに対して洗浄処理を行う。これにより、本実施例２の装置は、上述した実施例１と同様の効果を奏する。さらに、本実施例２の装置は、遮断板２１から供給する窒素ガスｇの流れにより微細パターンｍｐの先端側から純水ＤＩＷが抜けるのを抑制するとともに、外周への窒素ガスｇの流れにより純水ＤＩＷを微細パターンｍｐの側方へと押し流すことができる。したがって、効率的に純水を微細パターンｍｐの側方へ排出させることができる。
【００６２】
上述した説明では、遮断板２１の乾燥位置への移動を、ｔ２時点からｔ３時点への減速時に行うようにしたが、例えば、図８中に点線で示すように、回転を停止したｔ３ａ時点からｔ３時点の間に行うようにしてもよい。これにより、基板Ｗの回転数と遮断板２１の回転数が不一致である場合に生じ得る悪影響を回避できる。この場合には、ｔ３時点から基板Ｗの回転と遮断板２１の回転を同時に行うようにすればよい。
【００６３】
なお、上述した実施例２における遮断板２１を次のように構成してもよい。この変形例について、図９を参照して説明する。なお、図９は、実施例２の変形例を示す基板処理装置の概略構成を示すブロック図である。
【００６４】
上述した遮断板２１は、中央部に供給口２３を備えていた。しかし、この遮断板２１ａは、遮断板２１ａの基板Ｗに対向する側の全面に複数個の供給口２３ａを備えている。複数個の供給口２３ａからは、窒素ガス供給源２５から窒素ガスが供給される。
【００６５】
なお、上述した複数個の供給口２３ａが本発明における「全面供給手段」に相当する。
【００６６】
この遮断板２１ａは、その全面から窒素ガスｇが供給される。そのため、微細パターンｍｐの先端側から純水ＤＩＷが抜けるのを押さえつつ、窒素ガスｇの流れが基板Ｗの外周へ向かう。したがって、微細パターンｍｐの先端側から純水ＤＩＷが抜けるのを抑制するとともに、窒素ガスｇの流れにより純水ＤＩＷを微細パターンｍｐの側方へと押し流すことができる。その結果、効率的に純水ＤＩＷを微細パターンｍｐの側方へ効率的に排出させることができる。
【実施例３】
【００６７】
次に、図面を参照して本発明の実施例３を説明する。
図１０は、実施例３に係る基板処理方法の概要を示す模式図であり、（ａ）は基板を保持する過程、（ｂ）は基板に純水を供給する過程、（ｃ）は乾燥過程を示す。
【００６８】
まず、回転中心から所定距離だけ離れた位置に、基板Ｗを起立姿勢で保持する（図１０（ａ））。基板Ｗは、回転中心側に微細パターンｍｐを向けた状態である。次に、起立姿勢のままで基板Ｗを回転中心周りに公転させる（図１０（ｂ））。このとき、回転中心から基板Ｗに向けて純水ＤＩＷを供給して、微細パターンｍｐが形成された面を水洗処理する。そして、純水ＤＩＷの供給を停止するとともに、基板Ｗの微細パターンｍｐが形成された面に向けて回転中心から窒素ガスｇを供給する（図１０（ｃ））。
【００６９】
このように、回転中心から所定距離離れた位置に保持された基板Ｗを所定の回転数で回転させると、微細パターンｍｐの先端側から基板Ｗ面に向かって遠心力が加わり、微細パターンｍｐの先端側から純水ＤＩＷが抜けるのを抑制できる。その状態で、回転中心側から窒素ガスｇを供給すると、窒素ガスの流れによって純水ＤＩＷが微細パターンｍｐの側方へ抜ける。したがって、隣接する微細パターンｍｐの先端部同士が引き合う方向の力を極めて小さくすることができる。その結果、純水ＤＩＷの表面張力によって微細パターンｍｐが倒壊することを防止することができる。
【００７０】
次に、上述した基板処理方法を実施するのに好適な基板処理装置について、図１１を参照して説明する。なお、図１１は、実施例３に係る基板処理装置の概略構成を示すブロック図である。実施例２と共通する構成については同符号を付して詳細な説明については省略する。
【００７１】
回転体３１は、回転軸３３を中心に備えている。回転体３１は、回転軸３３とともに回転する。回転軸３３は、電動モータ５に連結された回転軸３に連結されている。回転体３１は、回転軸３３から所定距離だけ離れた位置に内壁３５を備えている。内壁３５の四カ所には、保持部３７が設けられている。各保持部３７は、平面視で対称となる位置関係で配置されている。なお、図１１には、図示の関係上、３カ所にのみ保持部３７を示している。保持部３７は、基板Ｗの微細パターンｍｐが形成された面を回転軸３３に向け、基板Ｗを鉛直姿勢で保持する。回転体３１は、上部に蓋部３９を備えて、基板Ｗの搬入出時に開閉する。
【００７２】
回転軸３３は、外周面に４個の噴射部４１を備えている。各噴射部４１は、回転軸３３のうち、各保持部３７に対向する位置に設けられている。回転軸３３のうち、回転体３１から下方に延出された部分には、３個の注入部４３を備えている。各注入部４３は、各噴射部４１に連通接続されている。また、各注入部４３は、薬液供給源１１、純水供給源１５、窒素ガス供給源２５に連通接続されている。各液体や気体の供給及び蓋部４９の開閉などは、制御部１７によって統括的に制御される。また、回転体３１の内壁には、内周面から外周面に貫通した複数個の排出口４５が形成されている。これらの排出口４５は、飛散した純水等を回転体３１の外部へ排出する。排出された純水等は、回転体３１を囲う、図示しない容器で回収されて排出される。
【００７３】
なお、上述した噴射部４１と、注入部４３と、純水供給源１５とが本発明における「処理液供給手段」に相当する。また、噴射部４１と、注入部４３と、窒素ガス供給源２５とが本発明における「気体供給手段」に相当する。
【００７４】
制御部１７は、４枚の基板Ｗを４個の保持部３７に保持させた後、電動モータ５により回転体３１を所定の回転数で回転させる。回転数は、基板Ｗに供給された純水ＤＩＷが微細パターンｍｐの先端部から抜けないような遠心力を生じさせる程度のものである。そして、噴射部４１から純水ＤＩＷを供給させて、基板Ｗを水洗処理した後に純水ＤＩＷを停止させる。その後、噴射部４１から窒素ガスを供給させて、基板Ｗの乾燥処理を行う。
【００７５】
このような構成の装置によると、図１０に示した基板処理方法を好適に実施することができる。
【００７６】
本発明は、上記実施形態に限られることはなく、下記のように変形実施することができる。
【００７７】
（１）上述した各実施例１〜３では、純水ＤＩＷを供給した後に乾燥処理を行った。しかし、純水ＤＩＷよりも表面張力が小さい処理液、例えば、イソプロピルアルコール（ＩＰＡ）やハイドロフルオロエーテル（ＨＦＥ）を供給した後に、乾燥処理を行うようにしてもよい。これにより、さらに微細パターンｍｐの倒壊を防止することができる。また、チャンバ内で処理を実施し、チャンバ内を減圧するようにしてもよい。
【００７８】
（２）上述した各実施例１，２では、図５，図８に示したタイムチャートで処理を実行している。しかし、これは一例であり、本発明はこのようなタイムチャートに限定されるものではない。
【００７９】
（３）上述した各実施例２，３では、気体として窒素ガスを供給するようにした。しかし、本発明は気体が窒素ガスに限定されるものではない。例えば、加熱した空気を供給するようにしてもよい。
【符号の説明】
【００８０】
Ｗ  …  基板
ｍｐ  …  微小パターン
ＤＩＷ  …  純水
ｇ  …  窒素ガス
１  …  スピンチャック
３  …  回転軸
５  …  電動モータ
７  …  飛散防止カップ
９  …  薬液ノズル
１１  …  薬液供給源
１３  …  純水ノズル
１５  …  純水供給源
１７  …  制御部
【図１】
2012204483.tif 000003
【図２】
2012204483.tif 000004
【図３】
2012204483.tif 000005
【図４】
2012204483.tif 000006
【図５】
2012204483.tif 000007
【図６】
2012204483.tif 000008
【図７】
2012204483.tif 000009
【図８】
2012204483.tif 000010
【図９】
2012204483.tif 000011
【図１０】
2012204483.tif 000012
【図１１】
2012204483.tif 000013